(57)【要約】【課題】一つの保持具のみで、枕台の左右側面と下面とに接合して上下左右両方向に枕台の配置間隔を広げることができるようにする。【解決手段】配管枕台同士を支持する保持具において、適宜な高さのリブを介して上下両面を連結し、その上下両面を配管枕台の左右側面と下面とに接合可能に形成し、且つその面内に前記配管枕台左右側面の連結部に連結する連結凹部と、下面の連結部に連結する連結凹部とを設ける。【選択図】　　　　図１
2004019706.tif 000002
【特許請求の範囲】
【請求項１】
上面に管受部が設けられているとともに左右側面及び下面にそれぞれ連結部が設けられてなる配管枕台同士を支持する保持具であって、適宜な高さのリブを介して連結された上下両面が前記配管枕台の左右側面と下面とに接合可能に形成され、且つその面内に前記配管枕台左右側面の連結部に連結する連結凹部と、下面の連結部に連結する連結凹部とが設けられてなる配管枕台用保持具。
【請求項２】
前後縁部に配管枕台の前後縁部に係合する突片が設けられてなる請求項１に記載の配管枕台用保持具。
【発明の詳細な説明】
【０００１】
【発明の属する技術分野】
本発明は、埋設配管を支持する枕台の配置間隔を調節するため、枕台と枕台の間に設置されて適宜な間隔に枕台を支持する保持具に関する。
【０００２】
【従来の技術及び発明が解決しようとする課題】
ケーブル保護管を地中に埋設する際、地中で管体を支持する枕台が使用されている。
この枕台５は、図５に示されるように、管体の周面が接合する半円弧状の管受部５１を上面に有するとともに管受部５１の両側の相対する位置に互いに嵌合し得る窪み５２ａと突起５２ｂを設けてブロック状に形成されており、枕台同士を互いに向きを反転させて上下に向かい合わせ、且つ窪み５２ａと突起５２ｂを嵌合させて一体化することにより上下枕台間に形成される円形開口部内に管体を挿通して支持し、埋設位置に固定するように構成されている。
また、枕台５の左右側面には、相互に嵌合する連結部としての凹部５３ａと凸部５３ｂがそれぞれ設けられ、隣接配置される枕台同士を連結できるようになっているとともに、枕台５の下面両側の相対する位置にも相互に嵌合する連結部としての窪み５４ａと突起５４ｂ、又は凹部５５ａと凸部５５ｂがそれぞれ設けられ、上下に配置される枕台同士も連結できるようになっている。
【０００３】
このような枕台５を使用した従来の配管支持構造において、縦横複数列に支持された管体の配置間隔を広げる場合は、例えば特許第２７１０２２４号公報に記載されたような適宜な幅のスペーサを枕台間に介装させ、枕台の配置間隔を広げるようにしていた。
この場合、一般に枕台５は、配管の作業性と安定性を考慮し、その左右側面と下面の連結部の構造を異ならせて形成されることが多く、そのため、枕台５の左右側面に連結する接続構造を備えたスペーサと、枕台５の下面に連結する接続構造を備えたスペーサの二種類を準備し、左右に並んだ枕台間を広げるときは前者を用い、上下に重ねた枕台間を広げるときは後者を用いるようにしていた。
【０００４】
本発明は従来技術の有するこのような問題点に鑑み、一つの保持具のみで、枕台の左右側面と下面とに接合して上下左右両方向に枕台の配置間隔を広げることができるようにすることを課題とする。
【０００５】
【課題を解決するための手段】
前記課題を解決するため本発明の配管枕台用保持具は、上面に管受部が設けられているとともに左右側面及び下面にそれぞれ連結部が設けられてなる配管枕台同士を支持する保持具であって、適宜な高さのリブを介して連結された上下両面が前記配管枕台の左右側面と下面とに接合可能に形成され、且つその面内に前記配管枕台左右側面の連結部に連結する連結凹部と、下面の連結部に連結する連結凹部とが設けられてなることを特徴とする。
前記構成の保持具において、前後縁部に配管枕台の前後縁部に係合する突片が設けられていることが好ましい。
【０００６】
これによれば、枕台の側面と下面に接合する面内に両面の連結部に連結する連結凹部を設けて保持具を構成してあるので、上下枕台間に保持具を配置して枕台の上下方向の配置間隔を広げ、また、左右枕台間に保持具を配置して枕台の左右方向の配置間隔を広げて連結した枕台を支持することができる。
また、保持具の前後縁部に突片が設けてあれば、枕台の縁部に突片を係合させて保持具両側の枕台の位置を規制でき、枕台を適正な連結位置で支持することができる。
なお、保持具に設ける連結凹部は、枕台に設けられた連結部が突起の場合は窪み、凸部の場合は凹部というように、枕台に設けられた連結部の形状に対応した形状に設けることができる。
【０００７】
【発明の実施の形態】
本発明の好適な実施形態を図面を参照して説明する。
図１は第１実施形態の保持具を用いて連結した枕台の外観図、図２は第１実施形態の保持具の外観図、図３は第２実施形態の保持具を用いて連結した枕台の外観図、図４は第２実施形態の保持具の外観図及び断面図である。
【０００８】
図１及び図３に示されるように、本発明の保持具１、２は、上下向かい合わせて一体化された枕台３、３の上下又は左右の配置間隔を広げる場合に、一体化された枕台間に取り付けて使用されるものである。
両図に示された枕台３は、図５（Ａ）に示された枕台５と同構造の連結部を備えたものであり、半円弧状の管受部３１が形成された上面両側の相対する位置に相互に嵌合する窪み３２ａと突起３２ｂを設け、左右側面に相互に嵌合する連結部としての凹部３３ａと凸部３３ｂを設け、下面両側の相対する位置にも相互に嵌合する連結部としての窪み３４ａと突起３４ｂを設けてブロック状に形成されている。枕台３は、上下向かい合わせに一体化した状態で、その横幅と高さが同寸法となるように形成されている。
【０００９】
保持具１は、図２に示されるように、適宜な高さのリブ１１を介して上面１２と下面１３を連結した薄い板状に形成されている。
詳しくは、保持具１の上下両面は、その横幅と奥行きが枕台３の下面の横幅と奥行きと同じ寸法に設定されているとともに、その一側の面内に枕台３の突起３４ｂが嵌合する窪み１２ａ、１３ａが設けられ、前記突起３４ｂを窪み１２ａ又は窪み１３ａに嵌合させて枕台３の下面に重合接合し得るように形成されている。また、上下両面の他側の面内には、枕台３の側面の凸部３３ｂが嵌合する凹部１２ｂ、１３ｂが設けられ、上下向かい合わせに一体化させた枕台３、３の側面の凸部３３ｂを凹部１２ｂ又は凹部１３ｂに嵌合させて、上下に一体化した枕台３、３の側面に重合接合し得るように形成されている。上下両面の窪み１２ａ、１３ａと凹部１２ｂ、１３ｂは、それぞれ保持具１の中心軸に対して対称な位置に設けられている。
【００１０】
このように形成された本形態の保持具１によれば、上下に重なる一体化した枕台３、３と一体化した枕台３、３との間に取り付ければ、下側枕台３の突起３４ｂを窪み１３ａに嵌合させて下面１３が下側枕台３に接合し、また、上側枕台３の突起３４ｂを窪み１２ａに嵌合させて上面１２が上側枕台３に接合して、上下に重なる枕台同士の連結を維持したまま枕台３の上下方向の配置間隔を広げることができる。また、左右に隣接する一体化した枕台３、３と一体化した枕台３、３との間に取り付ければ、一側の枕台３の凸部３３ｂを凹部１２ｂに嵌合させて上面１２が一側の枕台３、３の側面に接合し、また、他側の枕台３の凸部３３ｂを凹部１３ｂに嵌合させて下面１３が他側の枕台３、３の側面に接合して、左右に隣接する枕台同士の連結を維持したまま枕台３の左右方向の配置間隔を広げることができる。
【００１１】
また、保持具２は、図４に示されるように、適宜な高さのリブ２１を介して、横幅の寸法が保持具１の横幅の半分である上面２２と下面２３とを連結した薄い板状に形成されている。
詳しくは、保持具２の上面２２の面内には、その一側に枕台３の突起３４ｂが嵌合する窪み２２ａが設けられて前記突起３４ｂを窪み２２ａに嵌合させて枕台３の下面の半面に重合接合し得るように形成されているとともに、略々中央には枕台３の側面の凸部３３ｂが嵌合する凹部２２ｂが設けられ、前記凸部３３ｂを凹部２２ｂに嵌合させて枕台３の側面に重合接合し得るように形成されている。また、保持具２の下面２３の前縁部と後縁部には、下方に突出した突片２４、２４がそれぞれ適宜な間隔を開けて設けられている。
【００１２】
このように形成された本形態の保持具２によれば、上下に重なる一体化した枕台３、３と一体化した枕台３、３との間に二つの保持具２、２を互いに向きを反転させて並べ、それぞれ枕台３、３の突起３４ｂ、３４ｂを窪み２２ａ、２２ａに嵌合させて、それぞれ上面２２及び下面２３を上下の枕台３、３に接合させることにより、枕台３の上下方向の配置間隔を広げることができる。また、左右に隣接する一体化した枕台３、３と一体化した枕台３、３との間に二つの保持具２、２を互いに向きを反転させて並べ、それぞれ両側の枕台３、３の凸部３３ｂ、３３ｂを凹部２２ｂ、２２ｂに嵌合させて、それぞれ上面２２及び下面２３を左右の枕台３、３に接合させることにより、枕台３の左右方向の配置間隔を広げることができる。これらの場合に、保持具２の上面２２側が一側の枕台３に嵌合し、他側の枕台３には連結されないが、下面２３の前後縁部に設けられた突片２４、２４が他側の枕台３の前後縁部にそれぞれ係合するので、保持具両側の枕台３、３の位置が規制され、位置をずらすことなく、枕台３、３を適正な連結位置に支持することができる。
【００１３】
なお、図示した保持具の形態は一例であり、本発明の保持具は利用する枕台の外形寸法や連結部の形状に対応した適宜な形状に設けることができる。
【００１４】
【発明の効果】
本発明の配管枕台用保持具によれば、その上下両面が枕台の左右側面と下面とに接合し得るように形成されているとともに、その面内に両面の連結構造に対応した連結凹部が設けてあるので、枕台同士の上下と左右両方向の配置間隔を広げるスペーサとして利用可能であり、また、枕台同士を適正な連結位置で支持することができる。
【図面の簡単な説明】
【図１】第１実施形態の保持具を用いて連結した枕台の外観図である。
【図２】第１実施形態の保持具の外観図である。
【図３】第２実施形態の保持具を用いて連結した枕台の外観図である。
【図４】第２実施形態の保持具の（Ａ）は外観図、（Ｂ）はＢ−Ｂ線断面図である。
【図５】（Ａ）、（Ｂ）はそれぞれ従来例の枕台の正面図と側面図である。
【符号の説明】
１，２　保持具、１１，２１　リブ、１２，２２　上面、１３，２３　下面、２４　突片、３　枕台
【図１】
2004019706.tif 000003
【図２】
2004019706.tif 000004
【図３】
2004019706.tif 000005
【図４】
2004019706.tif 000006
【図５】
2004019706.tif 000007